【手続補正書】
【提出日】平成28年8月12日(2016.8.12)
【手続補正１】
【補正対象書類名】特許請求の範囲
【補正対象項目名】全文
【補正方法】変更
【補正の内容】
【特許請求の範囲】
【請求項１】
（ｉ）モルタル構造物若しくはセメント構造物中で鋼の腐食を防止する、（ｉｉ）モルタル構造物若しくはセメント構造物中の損傷、クラック、キズ及び空洞に対して補修、充填及び／又は吹き付けを行う、及び／又は（ｉｉｉ）モルタル表面若しくはコンクリート表面を舗装する、被覆する及び／又は保護するための、多目的のモルタル組成物又は多目的のセメント組成物であって、
セメント系バインダの少なくとも１種と、
フィラー及び砂の、少なくとも１種と、
を含む、
多目的のモルタル組成物又は多目的のセメント組成物。
【請求項２】
繊維成分の少なくとも１種を含む、
請求項１に記載の多目的のモルタル組成物又は多目的のセメント組成物。
【請求項３】
ポリマーの少なくとも１種、再分散性ポリマーの少なくとも１種又はコポリマーの少なくとも１種を含む、
請求項１又は２に記載の多目的のモルタル組成物又は多目的のセメント組成物。
【請求項４】
繊維成分の少なくとも１種と、
腐食防止剤の少なくとも１種と、
ポリマーの少なくとも１種、再分散性ポリマーの少なくとも１種又はコポリマーの少なくとも１種と、
を含む、
請求項１〜３のいずれか一項に記載の多目的のモルタル組成物又は多目的のセメント組成物。
【請求項５】
セメント系バインダの少なくとも１種を１５％〜４０％と、
フィラー及び砂の、少なくとも１種を５０％〜８０％と、
繊維成分の少なくとも１種を０．０５％〜１．２％と、
腐食防止剤の少なくとも１種を０．０５％〜３．２％と、
ポリマーの少なくとも１種、再分散性ポリマーの少なくとも１種又はコポリマーの少なくとも１種を０．１％〜３．５％と、
を（組成物の全重量に対して計算される重量％で）含み、
ここで、前記成分の重量％の合計が１００％である、
請求項１〜４のいずれか一項に記載の多目的のモルタル組成物又は多目的のセメント組成物。
【請求項６】
消泡剤の少なくとも１種と、
繊維成分の少なくとも１種と、
腐食防止剤の少なくとも１種と、
可塑剤の少なくとも１種又は超可塑剤の少なくとも１種と、
促進剤の少なくとも１種と、
収縮低減剤の少なくとも１種と、
ポリマーの少なくとも１種、再分散性ポリマーの少なくとも１種又はコポリマーの少なくとも１種と、
を含む、
請求項１〜５のいずれか一項に記載の多目的のモルタル組成物又は多目的のセメント組成物。
【請求項７】
セメント系バインダの少なくとも１種を１５％〜４０％と、
フィラー及び砂の、少なくとも１種を５０％〜８０％と、
消泡剤の少なくとも１種を０．０５％〜１．５％と、
繊維成分の少なくとも１種を０．０５％〜１．２％と、
腐食防止剤の少なくとも１種を０．０５％〜３．２％と、
可塑剤の少なくとも１種又は超可塑剤の少なくとも１種を０．０５％〜１．２％と、
促進剤の少なくとも１種を０．１％〜３．５％と、
収縮低減剤の少なくとも１種を０．１％〜４．２％と、
ポリマーの少なくとも１種、再分散性ポリマーの少なくとも１種又はコポリマーの少なくとも１種を０．１％〜３．５％と、
を（組成物の全重量に対して計算される重量％で）含み、
ここで、前記成分の重量％の合計が１００％である、
請求項１〜６のいずれか一項に記載の多目的のモルタル組成物又は多目的のセメント組成物。
【請求項８】
前記ポリマー、前記再分散性ポリマー及び前記コポリマーが、ポリ酢酸ビニル及びポリビニルエステル、並びにこれらの混合物から選択される、請求項７に記載の多目的のモルタル組成物又は多目的のセメント組成物。
【請求項９】
前記セメント系バインダが、ポルトランドセメント、アルミン酸カルシウムセメント（ＣＡＣ）、スルホアルミネートセメント、石膏系バインダ、石灰、消石灰、シリカフューム、又はそれらの混合物である、請求項１〜８のいずれか一項に記載の多目的のモルタル組成物又は多目的のセメント組成物。
【請求項１０】
前記フィラー又は砂が、０．０５ｍｍ〜１．５ｍｍのふるい分け曲線を有する珪砂若しくはフィラー、石灰質フィラー、沈降性超微細炭酸カルシウム、又はそれらの混合物である、請求項１〜９のいずれか一項に記載の多目的のモルタル組成物又は多目的のセメント組成物。
【請求項１１】
前記繊維成分が、ポリオレフィン繊維、ニトリル、ポリビニルアルコール（ＰＶＡ）、耐アルカリ保護を有する若しくは有しないガラス、セルロース、亜麻若しくは麻繊維成分、又はそれらの混合物である、請求項１〜１０のいずれか一項に記載の多目的のモルタル組成物又は多目的のセメント組成物。
【請求項１２】
前記腐食防止剤が、亜硝酸ナトリウム、亜硝酸カルシウム、亜硝酸ジシクロヘキシルアミン、安息香酸モノエタノールアミン、安息香酸エタノールアミン、エタノールアミン、ジエタノールアミン、Ｎ．Ｎ−ジメチルエタノールアミン、トリス（ヒドロキシメチル）アミノメタン、又はそれらの混合物である、請求項１〜１１のいずれか一項に記載の多目的のモルタル組成物又は多目的のセメント組成物。
【請求項１３】
前記腐食防止剤が、亜硝酸ナトリウム、亜硝酸カルシウム、亜硝酸ジシクロヘキシルアミン、又はそれらの混合物である、請求項１〜１１のいずれか一項に記載の多目的のモルタル組成物又は多目的のセメント組成物。
【請求項１４】
前記可塑剤又は超可塑剤が、リグノスルホネート、メラミンホルムアルデヒド、又はそれらの混合物である、請求項１〜１３のいずれか一項に記載の多目的のモルタル組成物又は多目的のセメント組成物。
【請求項１５】
前記促進剤が、亜硝酸塩、硝酸塩、又はそれらの混合物である、請求項１〜１４のいずれか一項に記載の多目的のモルタル組成物又は多目的のセメント組成物。
【請求項１６】
前記収縮低減剤が、被覆石灰、アルミニウム粉末、アゾジカルボンアミド、又はそれらの混合物である、請求項１〜１５のいずれか一項に記載の多目的のモルタル組成物又は多目的のセメント組成物。
【請求項１７】
請求項１〜１６のいずれか一項に記載の多目的のモルタル組成物又は多目的のセメント組成物と、前記多目的のモルタル組成物又は前記多目的のセメント組成物の重量に対して、１３．６０重量％〜２０．４０重量％の水とを含む、湿式のモルタル組成物又は湿式のセメント組成物。
【請求項１８】
前記多目的のモルタル組成物又は前記多目的のセメント組成物の重量に対して、１３．６０重量％〜１６．００重量％、１６．４０重量％〜１８．４０重量％又は１９重量％の水を含む、請求項１７に記載の湿式のモルタル組成物又は湿式のセメント組成物。
【請求項１９】
請求項１〜１６のいずれか一項に記載の多目的のモルタル組成物又は多目的のセメント組成物、又は請求項１７若しくは１８に記載の湿式のモルタル組成物又は湿式のセメント組成物の、（ｉ）モルタル構造物若しくはセメント構造物中で鋼の腐食を防止する、（ｉｉ）モルタル構造物若しくはセメント構造物中の損傷、クラック、キズ及び空洞に対して補修、充填及び／又は吹き付けを行う、及び／又は（ｉｉｉ）モルタル表面若しくはコンクリート表面を舗装する、被覆する及び／又は保護するための使用。
【請求項２０】
請求項１〜１６のいずれか一項に記載の多目的のモルタル組成物又は多目的のセメント組成物、又は請求項１７若しくは１８に記載の湿式のモルタル組成物又は湿式のセメント組成物を調製する方法であって、全ての前記成分を一緒に混合配合することにより、調製する方法。
【請求項２１】
請求項１〜１６のいずれか一項に記載の多目的のモルタル組成物又は多目的のセメント組成物、又は請求項１７若しくは１８に記載の湿式のモルタル組成物又は湿式のセメント組成物を使用することにより、
（ｉ）モルタル構造物若しくはセメント構造物中で鋼の腐食を防止することと、
（ｉｉ）モルタル構造物若しくはセメント構造物中の損傷、クラック、キズ及び空洞に対して補修、充填及び／又は吹き付けを行うことと、
（ｉｉｉ）モルタル表面若しくはコンクリート表面を舗装する、被覆する及び／又は保護することと、
を含む方法。